(57)【要約】【課題】屋外使用を前提とした携帯型情報伝送端末装置に、暴雨、防滴性を持たせる機構を極めて簡便にする。【解決手段】端末装置の操作パネル部および外部インターフェース・パネル部に防雨・防滴性を持たせる防水カバーの構造体として、防水カバー全体８００は防水性が高く柔軟な素材によって構成する。防水カバー胴体部８０２の上部には装置本体を挿入する際に開かれる防水カバー蓋８０１を設ける。防水カバー蓋は閉じた状態で装置本体の操作パネルを透過して見えかつ柔軟な防水素材にした操作パネル窓部８０１ａを設ける。防水カバー胴体部の下部には外部インターフェース・パネル部と外部機器とを接続できかつ浸水を防ぐための先細りで筒状のケーブル取り出し口８０３を設ける。防水カバー胴体部をファスナー等で開放できる構造も含む。【選択図】  図１
2004193706.tif 000002
【特許請求の範囲】
【請求項１】
携帯状態で装置本体の天面部に配置されて操作スイツチや表示器等を設けた操作パネル部と、装置本体の下部に配置されて外部機器との電気的接続部を有する外部インターフェース・パネル部とを備えた携帯型情報伝送端末装置において、
前記操作パネル部および前記外部インターフェース・パネル部に防雨・防滴性を持たせる防水カバーの構造体として、
防水カバー全体は防水性が高く柔軟な素材によって構成され、
防水カバー胴体部の上部には前記装置本体を挿入する際に開かれる防水カバー蓋を設け、
前記防水カバー蓋は閉じた状態で前記装置本体の操作パネルを透過して見えかつ操作パネルのスイッチを外部から操作できる柔軟性を持たせて防水素材にした操作パネル窓部を設け、
前記防水カバー胴体部の下部には前記外部インターフェース・パネル部と外部機器とを接続できかつ浸水を防ぐための先細りで筒状のケーブル取り出し口を設けたことを特徴とする携帯型情報伝送端末装置の防水カバー。
【請求項２】
携帯状態で装置本体の天面部に配置されて操作スイツチや表示器等を設けた操作パネル部と、装置本体の下部に配置されて外部機器との電気的接続部を有する外部インターフェース・パネル部とを備えた携帯型情報伝送端末装置において、
前記操作パネル部および前記外部インターフェース・パネル部に防雨・防滴性を持たせる防水カバーの構造体として、
防水カバー全体は防水性が高く柔軟な素材によって構成され、
防水カバー胴体部は前記装置本体を装着する際に両開きになり、該装置本体を装着した後には浸水を防ぐために締結できる構造にされ、
防水カバー胴体部の上部には前記装置本体を挿入する際に開かれる防水カバー蓋を設け、
前記防水カバー蓋は閉じた状態で前記装置本体の操作パネルを透過して見えかつ操作パネルのスイッチを外部から操作できる柔軟性を持たせて防水素材にした操作パネル窓部を設け、
前記防水カバー胴体部の下部には前記外部インターフェース・パネル部と外部機器とを接続できかつ浸水を防ぐための先細りで筒状のケーブル取り出し口を設けたことを特徴とする携帯型情報伝送端末装置の防水カバー。
【発明の詳細な説明】
【０００１】
【発明の属する技術分野】
本発明は、ディジタル化された画像や音声の情報を、遠隔地にある情報処理装置に伝送するための携帯型情報伝送端末装置に係り、特に端末装置の防水カバーに関する。
【０００２】
【従来の技術】
現在、携帯電話（ＰＤＣ：Ｐｏｒｔａｂｌｅ  Ｄｉｇｉｔａｌ  Ｃｅｌｌｕｌａｒ）や、ＰＨＳ（Ｐｅｒｓｏｎａｌ  Ｈａｎｄｙ−ｐｈｏｎｅ  Ｓｙｓｔｅｍ）の普及によって、モバイル通信が華やかである。その様な中に於いて、これらの通信媒体を利用し、画像データや音声データを圧縮して遠隔地にある情報処理装置（パソコンなど）に伝送し、現場の状況を報告するための携帯型情報伝送端末装置が知られている。
【０００３】
この携帯型情報伝送端末装置は、その主たる伝送情報は画像データと音声データであり、現場の映像を画像処理して伝送する機能、および現場と音声による情報交換機能をもつのが一般的である。この携帯型情報伝送端末装置の使用形態を図９に示す。
【０００４】
図９に於いて、１００が入力された画像情報と音声情報を圧縮処理して伝送するための携帯型情報伝送端末装置の本体（無線電話機を含む）、２００が伝送された画像情報を受信して処理するための管理局側の情報処理装置（パソコンなど）の本体である。
【０００５】
また、同図に於いて、３０１は画像情報を入力するためのカメラ装置（ビデオ・カメラやディジタル・スチル・カメラなど）、３０２は音声情報を入力するためのマイクロフォン、３０３は管理局側から送られてきた音声情報を音声として出力するためのスピーカである。ここでは、３０２のマイクロフォンと３０３のスピーカは、一体になって頭部に装着できるヘッドセットを例に採っている。
【０００６】
また、同図に於いて、４００は情報の伝送媒体である通信網（ＰＤＣ，ＰＨＳ、アナログ電話、ＬＡＮなど）を示す。また、５０１は受信した画像情報を表示するための画像出力装置（ＣＲＴ，ＬＣＤ、ビデオ・モニタなど）、５０２は管理局側の音声を入力するためのマイクロフォン、５０３は端末側から送られてきた音声を再生するためのスピーカである。こちらも、５０２のマイクロフォンと５０３のスピーカは、一体になって頭部に装着できるヘッドセットを例に採っている。
【０００７】
図９に於いて、遠隔地に赴いた操作員は、図に示すような体勢で、３０１のカメラから画像情報を入力し、これを１００の携帯型情報伝送端末装置に於いて、圧縮処理して伝送する。この情報は、４００の伝送媒体（通信網）によって遠隔地に送られるので、管理局側では、これを通信網を介して受信し、２００の情報処理装置にて伸長処理して元の画像情報に再生し、この情報を５０１の表示装置に表示する。
【０００８】
更に、この様な装置では、現場と管理局との間で、音声情報の交換ができる。この場合は、１００の携帯型情報伝送端末装置と、２００の情報処理装置との間で、双方向の音声圧縮と伸張処理を相互に行うことによってこの機能を実現する。
【０００９】
さて、この様な、携帯型情報伝送端末装置（１００）の実現例として、当社にて製品化した装置の形態を示したものが図１０および図１１である（例えば、特許文献１参照）。
【００１０】
各図において、１００ａは本装置の上部（天面部）に配置されて操作を行うスイツチ（プレス・トーク用のスイッチなど）や表示ＬＥＤ等を集めた操作パネル部、１００ｂは本装置の底面部に配置されて外部機器との電気的接続（コネクタ）部分を集めた外部インターフェース・パネル部、１００ｃは外部インターフェース不使用時に外部インターフェース部を保護するための保護用蓋、１００ｄは、本装置をベルトに実装するためのベルト・フック、１００ｅは、本装置を肩掛けで使用する場合のストラップを保持するためのストラップ・フック、１００ｆは通信用の形態電話機などを締結するためのバンド部である。
【００１１】
先述の通りこの装置は、屋外の遠隔地から無線などを介して情報を伝送するための端末装置であり、特に災害時の状況監視などに用いる必要性から、雨天や悪天候下でも使用されることが予想される。
【００１２】
【特許文献１】
特開２００２−２９９８４５
【００１３】
【発明が解決しようとする課題】
前記のような携帯型情報伝送端末装置（１００）を屋外使用できるようにする場合、暴雨、防滴性を持たせることが大きな課題となる。
【００１４】
図１０、図１１に示した端末装置については、天面部の操作パネル部（１００ａ）にシート・スイッチなどを用いて防水性を高めており、また、外部インターフェース機能は一個所に集めた上で、底面側（１００ｂ）に設けることによって、上方向からの降雨などから保護することを予め考慮している。更に、外部インターフェース部の保護蓋（１００ｃ）を開放状態にすると、本体前面側からの降雨についての保護壁の役目をすることから、一定の防雨効果を持たせることができている。
【００１５】
しかし、この程度の防雨対策の場合、横および下方向からの降水については効果は得られず、電気的インターフェース部への浸水は避けられない。従って、小雨での使用は可能と思われるが、荒天時は使用不可能となる。
【００１６】
そこで、与えられる解としては、従来より用いられている防雨ケースによる防雨、防滴対策がある。従来の防雨ケースの一例を示したものが図１２である。。図において、６００が防雨ケースである。
【００１７】
この場合、防雨ケースは、装置全体を覆うことになるため、天面部の操作パネル部は、機械的なアクションを内部装置に伝える必要が出てくる。
【００１８】
このケースをソフトな防水加工の布材で作る場合には、この部分を透明かつ柔軟性のあるビニル素材にして操作可能にすることができる（６００ａの点検操作窓）が、ハードなプラスチック部材で作る場合には、機械的に外部の操作を内部装置に伝える機構を設ける必要が出てくる。更に、外部に対してケーブルを引き出す引き出し口（６００ｂ）にも工夫が必要となる。
【００１９】
いずれの方法にしても、装置全体を覆う形の防水カバーについては、形状が複雑になると共に、装置の装着や取り外しに手間が掛かることが多かった。また、装置そのものに対して容積、質量共に大きくなり、「小型」、「携帯型」の装置に必要な条件を欠いてしまう傾向があった。
【００２０】
そこで、前記特開文献１では、図１３〜図１４に示すような防雨・防滴構造のレイン・フードを本願出願人は既に提案している。この方式は、本体のインタフェース・パネル部のみを防水布で覆い被せる方法であり、小型かつ安直に装置の防水性を高めることができた。
【００２１】
しかし、この方式の場合には、本体装置とそのインタフェース部分の防水性は確保されるものの、通信用に必ず同時に使用される携帯電話機やＰＨＳ電話機は、別途防水カバーを被せる必要がある点や、フード取り付け部からの浸水などによって、ある程度以上め暴風雨の条件では、やはり十分な防水性を確保できないことが懸念される。
【００２２】
本発明の目的は、本体着脱式のレイン・フードで防ぎきれない、暴風雨の中でも、極めて高い防水性を持たせ、かつ、本体装置の着脱が極めて簡便な防水カバーを提供することにある。
【００２３】
【課題を解決するための手段】
本発明は、携帯型情報伝末装置を雨天時や荒天時にも使用可能とするために、防雨・防滴性を持たせる防水カバーとして、
・装置全体を簡易な構造の防水カバーで覆うことにより、濡れることが許されない外部接続機器（携帯型電話機など）を含めて極めて高い防水性を持たせる構造。
【００２４】
・防水布や、軟質のビニルなど、防水性の高い素材を利用した防水カバーに属する防雨・防滴の構造体であって、装置本体の装填、および取り外しを極めて簡便に行えるようにした構造体。
【００２５】
・防水性の高い素材によって、装置に適合する形状を形成する防水カバーであって、単純な形状の部品を、１ないし２枚という少ない部品点数の組み合わせで実現できる構造。
とするもので、以下の構成を特徴とする。
【００２６】
（１）携帯状態で装置本体の天面部に配置されて操作スイツチや表示器等を設けた操作パネル部と、装置本体の下部に配置されて外部機器との電気的接続部を有する外部インターフェース・パネル部とを備えた携帯型情報伝送端末装置において、
前記操作パネル部および前記外部インターフェース・パネル部に防雨・防滴性を持たせる防水カバーの構造体として、
防水カバー全体は防水性が高く柔軟な素材によって構成され、
防水カバー胴体部の上部には前記装置本体を挿入する際に開かれる防水カバー蓋を設け、
前記防水カバー蓋は閉じた状態で前記装置本体の操作パネルを透過して見えかつ操作パネルのスイッチを外部から操作できる柔軟性を持たせて防水素材にした操作パネル窓部を設け、
前記防水カバー胴体部の下部には前記外部インターフェース・パネル部と外部機器とを接続できかつ浸水を防ぐための先細りで筒状のケーブル取り出し口を設けたことを特徴とする。
【００２７】
（２）携帯状態で装置本体の天面部に配置されて操作スイツチや表示器等を設けた操作パネル部と、装置本体の下部に配置されて外部機器との電気的接続部を有する外部インターフェース・パネル部とを備えた携帯型情報伝送端末装置において、
前記操作パネル部および前記外部インターフェース・パネル部に防雨・防滴性を持たせる防水カバーの構造体として、
防水カバー全体は防水性が高く柔軟な素材によって構成され、
防水カバー胴体部は前記装置本体を装着する際に両開きになり、該装置本体を装着した後には浸水を防ぐために締結できる構造にされ、
防水カバー胴体部の上部には前記装置本体を挿入する際に開かれる防水カバー蓋を設け、
前記防水カバー蓋は閉じた状態で前記装置本体の操作パネルを透過して見えかつ操作パネルのスイッチを外部から操作できる柔軟性を持たせて防水素材にした操作パネル窓部を設け、
前記防水カバー胴体部の下部には前記外部インターフェース・パネル部と外部機器とを接続できかつ浸水を防ぐための先細りで筒状のケーブル取り出し口を設けたことを特徴とする。
【００２８】
【発明の実施の形態】
本発明は、従来の問題点に鑑み、図１２に示すような装置全体を覆う防雨ケースというよりは、防水カバーに類するが、複雑な構造を採る必要はなく、また、極めて簡便に本体装置の着脱を可能にした上で、該当の携帯型情報伝送端末装置そのものの防雨、防滴性を高めるものであり、以下、実施形態を詳細に説明する。
【００２９】
（実施形態１）
図１に、本実施形態になる携帯型情報伝送端末装置用の防水カバーの構成例を示す。同図において、８００は本実施形態の防水カバーの全体を示す。８０１は防水カバーの蓋、８０１ａは操作パネル窓、８０１ｂは防水カバー蓋の仮固定用の部品部分、８０２は防水カバーの胴体部、８０３は外部ケーブル引出し口である。
【００３０】
８００全体は、防水布またはビニルなど、防水件が高く柔軟な素材によって構成する。８０１ａの操作パネル窓部は、透明なビニルなど、内部に実装する装置の操作パネルが透過して見え、かつ操作パネルのスイッチを外部から操作できる柔軟性を持たせた防水素材を用いる。８０１ｂ部は、カバーの蓋を閉めた時にこれを仮固定するための手段で、マジック・テープや、ホックなどを用いて実現する。この仮固定手段は、単純には開閉せず、操作者が意志を持って操作すれば、容易に開閉ができる機構にする。
【００３１】
８０２は胴体部で、先細りの筒状の構造を持つ。８０３は、装置本体と外部カメラとを接続するためのケーブルの取り出し口であり、ケーブルを通した後、浸水を防ぐように、開口部を締め切るようにきつく締結できる機構とする。例えば、帯状の素材をマジック・テープなどで仮に締結できるようにする。
【００３２】
また、同図に於いて、８０４は本体装置を腰に装着する際のベルトや、肩から下げる場合のストラップなどを外部に引き出すための開口部であり、最小限の切れ込みを用意しておく。
【００３３】
図２は、図１に示した、携帯型情報伝送端末装置用の防水カバーの取り扱い状態を示す。図２に於いて、１００は本カバーによって防水状態に置かれる携帯型情報伝送端末装置本体である。１１０がそれに締結されて使用される携帯型の電話機である。１００ｅは装置本体を、腰ベルトやストラップに締結するためのフック、１００ｆは携帯型の電話機を締結オるためのベルト、１２０は装置を身につける場合の腰ベルトまたは肩掛け用のストラップを表している。８００〜８０３は、図１の通りである。
【００３４】
まず、８０１ｂの防水カバーの蓋の仮固定機構（マジツク・テープまたはホックなど）を緩めて、８０１の防水カバーの蓋と、その側面の中折り部分を実線の矢印方向（外側）に開く。１００の装置本体とそれに締結された付属品一式を、太い矢印の方向にそのまま挿入（実装）する。この際に、外部に引き出すケーブル（外部カメラ用ケーブル）を８０３の引出し口から外部に引き出す。最後に８０１の蓋を閉め、８０１ｂの仮固定部で蓋を固定し、外部に引き出したケーブルを８０３部のマジック・テープで締結すれば、実装は完了である。
【００３５】
図３に、本発明による携帯型情報伝送端末装置用の防水カバーの使用状態を示す。カバーの蓋にある８０１ａの操作窓から、操作者は、装置の操作を行うことができる。
【００３６】
最後に、図４に、本防水カバーの機構を実現するための、素材の展開図の例を示す。この例では、２枚の防水素材によってこれを実現する場合を取り上げているが、素材の段取りはこれに制限されるものではない。同図の（ａ）はカバーの全面側の布、（ｂ）は背面側の布の様子を示している。一点鎖線部を谷折り、二点鎖線部を山折りし、（ａ）に示す全面布と（ｂ）に示す背面布のＡ〜Ｈ同士を、縫合または接着すると、図１に示す通りの構造体となる。
【００３７】
この装置では、本体装置そのものが、上部からの降南等に対する防水性が高いこともあり、これだけの防水カバーを用いると、開口部が、８０３部と８０４部に限られることもあって、かなりの悪天候でも屋外で使用可能となる。
【００３８】
（実施形態２）
図５に、本実施形態による携帯型情報伝送端末装置用の防水カバーの構成例を示す。同図において、９００は、本実施形態の防水カバーの全体を示す。９０１は防水カバーの蓋、９０１ａは操作パネル窓、９０１ｂは防水カバー蓋の仮固定用の部品部分、９０２は防水カバーの胴体部（両開きになる構造）、９０３は外部ケーブル引出し口である。９０４は本体を装着する場合のベルトなどの引出し口、９０５は両開きのカバーを前面側で締結するファスナー（ジッパー）部である。
【００３９】
９００全体は、防水布またはビニルなど、防水性が高く柔軟な素材によって構成する。９０１ａの操作パネル窓部は、透明なビニルなど、内部に実装する装置の操作パネルが透過して見え、かつ操作パネルのスイッチを外部から操作できる柔軟性を持たせた防水素材を用いる。９０１ｂ部は、カバーの蓋を閉めた時にこれを仮固定するための手段で、マジック・テープや、ホックなどを用いて実現する。この仮固定手段は、単純には開閉せず、操作者が意志を持って操作すれば、容易に開閉ができる機構にする。
【００４０】
９０２は胴体部で、９０５のファスナー部で、一枚の布の両端を締結することによって筒状の構造体にしたものである。この９０２の胴体も９０３の先細りの筒状の構造を持つ。９０３は、装置本体と、外部カメラとを接続するためのケーブルの取り出し口であり、ケーブルを通した後、浸水を防ぐように、開口部を締め切るようにきつく締結できる機構とする。例えば、帯状の素材をマジック・テープなどで仮に締結できるようにする。
【００４１】
また、同図に於いて、９０４は本体装置を腰に装着する際のベルトや、肩から下げる場合のストラップなどを外部に引き出すための開口部であり、最小限の切れ込みを用意しておく。
【００４２】
図６は、図５に示した、携帯型情報伝送端末装置用の防水カバーの取り扱い状態を示す。図６に於いて、１００は、本カバーによって防水状態に置かれる携帯型情報伝送端末装置本体である。１１０がそれに締結されて使用される携帯型の電話機である。１００ｅは装置本体を、腰ベルトやストラップに締結するためのフック、１００ｆは、携帯型の電話機を締結するためのベルト、１２０は装置を身につける場合の腰ベルトまたは肩掛け用のストラップを表している。９００〜９０３は、図５の通りである。
【００４３】
まず、９０１ｂの防水カバーの蓋の仮固定機構（マジック・テープまたはホックなど）を緩めて、９０１の防水カバーの蓋を開き、９０５のファスナーを下に下ろして、９０２の胴の部分を実線の矢印方向（外側）に開く。１００の装置本体とそれに締結された付属品一式を、太い矢印の方向にそのまま挿入（実装）する。この際に、外部に引き出すケーブル（外部カメラ用ケーブル）を９０３の引出し口から外部に引き出す。本体を中に入れたら９０５のファスナーを上に上げ、最後に９０１の蓋を閉めて９０１ｂの仮固定部で蓋を固定し、外部に引き出したケーブルを９０３部のマジック・テープで締結すれば、実装は完了である。
【００４４】
図７に、本発明による携帯型情報伝送端末装置用の防水カバーの使用状態を示す。カバーの蓋にある、９０１ａの操作窓から、操作者は、装置の操作を行うことができる。
【００４５】
最後に、図８に、本防水カバーの機構を実現するための、素材の展開図の例を示す。この例では、１枚の防水素材によってこれを実現することができるが、素材の段取りはこれに制限されるものではない。同図に於いて、一点鎖線部を谷折りして、Ａ〜Ｆ同士を、縫合または接着すると、図５に示す通りの構造体となる。
【００４６】
この装置では、本体装置そのものが、上部からの降雨に対する防水性が高いこともあり、これだけの防水カバーを用いると、開口部が、９０３部と９０４部に限られることもあって、相当な悪天候でも屋外で使用可能となる。
【００４７】
【発明の効果】
以上のとおり、本発明によれば、屋外使用を前提とした携帯型情報伝送端末装置（１００）に、暴雨、防滴性を持たせる機構を極めて簡便にする。
【００４８】
特に、図１０や図１１に示した携帯型情報伝送端末装置のように、外部インターフェース・パネル部分以外の防雨、防滴性が確保されているような装置については、従来の防雨ケースでは、外部インターフェース・パネル部分の防雨、防滴性が確保されているが、外部に接続されている携帯型電話機について、十分な防水性が確保されていないような場合については、本体に装着して、外部インタフェース・パネル部分だけの防水性を確保するためのレイン・フードだけでは、装置全体を高い防水状態に置くことができないため、暴風雨などの悪天候時に使用することはかなり困難であった。
【００４９】
その点、本発明は、本体装置とそれに締結される携帯型電話機を含めて、防水効果の高い防水カバーを用意することによって、相当の悪天候下でも本装置を安心して使用できるようになる。
【００５０】
また、本発明による、防水カバーは、当該の画像音声伝送端末装置に適した形状を持ち、かつ極めて簡便に装置の装着と取り外しができ、かつ、構造的にも簡単で、防水布の裁断、縫合による組立ても簡単なものである。
【図面の簡単な説明】
【図１】本発明の実施形態１を示す防水カバーの構成例。
【図２】実施形態１における防水カバーの取り扱い状態を示す図。
【図３】実施形態１における防水カバーの使用状態を示す図。
【図４】実施形態１における防水カバーを構成する素材の展開図。
【図５】本発明の実施形態２を示す防水カバーの構成例。
【図６】実施形態２における防水カバーの取り扱い状態を示す図。
【図７】実施形態２における防水カバーの使用状態を示す図。
【図８】実施形態２における防水カバーを構成する素材の展開図。
【図９】遠隔情報伝送システムの使用形態図。
【図１０】携帯型情報伝送端末装置の概観および操作パネル部の例。
【図１１】携帯型情報伝送端末装置の外部インタフェース・パネル部の例。
【図１２】従来の装置全体を覆う形の防水ケースの例。
【図１３】従来の外部インタフェース・パネル部の防水構造例。
【図１４】外部インタフェース・パネル部の防水構造例の使用状態図。
【符号の説明】
８００…防水カバー全体
８０１…防水カバー蓋
８０１ａ…操作パネル窓
８０１ｂ…蓋仮固定機構
８０２…カバー胴体部
８０３…外部ケーブル引出し口
８０４…ベルト用スリット
９００…防水カバー全体
９０１…防水カバー蓋
９０１ａ…操作パネル窓
９０１ｂ…蓋仮固定機構
９０２…カバー胴体部
９０３…外部ケーブル引出し口
９０４…ベルト用スリット
【図１】
2004193706.tif 000003
【図２】
2004193706.tif 000004
【図３】
2004193706.tif 000005
【図４】
2004193706.tif 000006
【図５】
2004193706.tif 000007
【図６】
2004193706.tif 000008
【図７】
2004193706.tif 000009
【図８】
2004193706.tif 000010
【図９】
2004193706.tif 000011
【図１０】
2004193706.tif 000012
【図１１】
2004193706.tif 000013
【図１２】
2004193706.tif 000014
【図１３】
2004193706.tif 000015
【図１４】
2004193706.tif 000016